(57)【特許請求の範囲】
【請求項１】
配管中に接続されたゴムチューブを直線状に配置するポンプ本体と、このポンプ本体の相対向する枠体の対向面に相対応して設けられ少くとも下部が前記ゴムチューブと平行する直線区域とされたループ状のガイドレールと、このガイドレール間にガイドレールにそって移動し得るよう支持された複数個のチューブ押し潰し用ローラと、このローラを周回駆動する駆動手段とを具有し、
前記チューブ押し潰し用ローラは、その両端軸部が前記ポンプ本体の枠体間に軸支されて回転駆動されるゼネバのスリットにスライド自在に支持され、チューブ押し潰し用ローラが周回駆動されるようにしたことを特徴とする直線駆動式チューブポンプ。
【発明の詳細な説明】
【０００１】
【発明の属する技術分野】
本発明は、生コンクリート、泥水、土砂等の流動物を搬送するためのチューブポンプに関する。
【０００２】
【従来の技術】
上記のような生コンクリートや土砂を多く含む泥水等の比重の大きい流動物を圧送するための手段として従来からチューブポンプ（またはホースポンプ）と称されるポンプが用いられている。このチューブポンプは、配管の途中に柔軟性のあるゴム（天然ゴム）製のチューブを接続し、このゴムチューブをしごくことにより内部の流動物を圧送するものである。
【０００３】
従来の上記チューブポンプは、一般に図９に略示するように、ポンプ本体ａの内周にそってゴムチューブｂをＵ字状に屈曲させて配置し、このゴムチューブｂの曲った部分ｂ´の中心位置に回転体ｃを軸ｄにより回転駆動自在に支持し、この回転体ｃの両端に軸着された一対のローラｅ，ｅがゴムチューブｂのＵ字状をなして屈曲する部分ｂ´を押し潰しながら旋回することによりゴムチューブｂ内の流動物をしごいて押し出すように構成されている。
【０００４】
【発明が解決しようとする課題】
しかるに上記従来の構造では、ゴムチューブｂが１８０°にわたって屈曲されており、その屈曲した範囲のゴムチューブｂをローラｅ，ｅで押し潰すので、ゴムチューブｂ内へ次の流動物を受け入れる際にゴムチューブｂが正規の太さに復元せず、縦長偏平化して流動物の円滑な流動性が損われるとともに搬送量が減少するという問題点がある。
【０００５】
そのため従来では、Ｕ字状に屈曲した部分ｂ´のゴムチューブｂの両側を挟んで位置しゴムチューブｂを真円状に戻すための矯正ロールｆ，ｆ…を回転体ｃに付設し、ローラｅ，ｅにより流動物を押し出したあと矯正ロールｆ，ｆ…によりゴムチューブｂを矯正するようにするなどの手段を講じられているが、これによると構造が複雑化するばかりでなくゴムチューブｂが傷みやすいなどの新たな問題をもたらす。
【０００６】
【課題を解決するための手段】
本発明は、ゴムチューブに無理な負担をかけることなく流動物を円滑に圧送することができるようにすることを課題としてなされたもので、その解決手段は、配管中に接続されたゴムチューブを直線状に配置するポンプ本体と、このポンプ本体の相対向する枠体の対向面に相対応して設けられ少くとも下部が前記ゴムチューブと平行する直線区域とされたループ状のガイドレールと、このガイドレール間にガイドレールにそって移動し得るよう支持された複数個のチューブ押し潰し用ローラと、このローラを周回駆動する駆動手段とを具有し、前記チューブ押し潰し用ローラは、その両端軸部が前記ポンプ本体の枠体間に軸支されて回転駆動されるゼネバのスリットにスライド自在に支持され、チューブ押し潰し用ローラが周回駆動されるようにしたことを特徴とする。
【０００８】
したがってチューブ押し潰し用ローラがループ状のガイドレールにそってその直線区域を移動する間にゴムチューブを押し潰し、ゴムチューブ内の流動物を押し出す。この押し潰し用ローラによりゴムチューブは部分的に偏平状に押し潰されるが、ゴムチューブ自体が直線状におかれているので押し潰し用ローラの通過後直ちに真円状に復元する。
【０００９】
【発明の実施の形態】
以下、本発明を図面に示す実施の形態を参照して説明する。
【００１０】
図１は本発明によるチューブポンプの一実施形態の正面を示し、図２は同平面を、図３は同左側面を示している。
【００１１】
上記図において、ポンプ本体１はベース２上に枠体３を有し、この枠体３の下部両端に設けられた開口部４，４に配管５中にバンド６，６により接続されたゴムチューブ７が挿通され、このゴムチューブ７はポンプ本体１のベース２上にあるかまぼこ形の受座８の頂部にそって直線状におかれている。
【００１２】
前記枠体３の相対向する内面には、ループ状をなし断面横向きコ字状の溝構造のガイドレール９が相対応して設けられている。図示の実施形態では、図４に示すように上下部が前記ゴムチューブ７と平行する直線区域９Ａ，９Ｂとされ、両側部は０を中心とする円弧部９Ｃ，９Ｃで連なっている。しかし上部の直線区域９Ｂは必ずしも直線である必要はないが、枠体３の高さを低くするうえで上部も図のように直線状とすることが好ましい。
【００１３】
前記枠体３の中心０を軸心として、図６および図７に示すようなゼネバ１０が軸１１により回転自在に支持され、この軸１１の一端は枠体３外に突出されていてスプロケット１２（図３示）が固着され、ポンプ本体１に搭載のモータ１４（ギヤードモータ）から図示しないチェン等の伝動部材を介して駆動されるようになっている。
【００１４】
前記ゼネバ１０は、軸１１上に左右一対の溝付き板１５，１５を有し、この溝付き板１５，１５にはその周縁から中心に向けて４本のスリット１６，１６…が等間隔に形成されている。
【００１５】
チューブ押し潰し用ローラ１７は、図８に示すようにその軸部１８の両端に前記ガイドレール９に嵌合するベアリングローラ１９，１９を有し、このローラ１９，１９の内側に前記ゼネバ１０のスリット１６にスライド自在に嵌合し得る鍔付き角形ピース２０，２０を有しており、ゼネバ１０の各スリット１６，１６…に４本のチューブ押し潰し用ローラ１７，１７…の各角形ピース２０，２０が嵌合される。
【００１６】
図において２１は配管５をポンプ本体１に固定する支持部材、２２は前記伝動部材を内装するケースを示す。
【００１７】
したがってモータ１４を駆動してゼネバ１０を回動すると、チューブ押し潰し用ローラ１７はガイドレール９にそって移動し、ガイドレール９の下部の直線区域９Ａを移動する間にゴムチューブ７を押し潰しながら進行して内部の流動物を押し出す。
【００１８】
１本のチューブ押し潰し用ローラ１７が前記直線区域９Ａを通過する間にゴムチューブ７内に上流側から流動物が充満し、次位のチューブ押し潰し用ローラ１７が直線区域９Ａを前記と同様に移動してゴムチューブ７内の流動物を押し出す。こうして連続的に流動物を搬送することができる。
【００１９】
【発明の効果】
以上説明したように本発明によれば、ゴムチューブを直線状としたまま内部の流動物を連続的に押し出すことができるので、チューブ押し潰し用ローラの通過後のゴムチューブの復元力が大きく、特別な復元のための補助手段を付帯させる必要がないためポンプの構造が簡潔にできるとともに、ゴムチューブが直線状におかれるので内部の流動物の流動性を妨げることがなく、スムーズな搬送ができる。
【図面の簡単な説明】
【図１】本発明の一実施形態を示す正面図。
【図２】同、平面図。
【図３】同、左側面図。
【図４】枠体の内側面を示す正面図。
【図５】図４の中央断面図。
【図６】ゼネバの正面図。
【図７】同、断面図。
【図８】チューブ押し潰し用ローラの一部を断面とした正面図。
【図９】従来の技術を示す説明図。
【符号の説明】
１  ポンプ本体
２  ベース
３  枠体
５  配管
６  バンド
７  ゴムチューブ
８  受座
９  ガイドレール
９Ａ、９Ｂ  直線区域
１０  ゼネバ
１４  モータ
１６  スリット
１７  チューブ押し潰し用ローラ
２０  角形ピース
【図１】
0003620917.tif 000002
【図２】
0003620917.tif 000003
【図３】
0003620917.tif 000004
【図４】
0003620917.tif 000005
【図５】
0003620917.tif 000006
【図６】
0003620917.tif 000007
【図７】
0003620917.tif 000008
【図８】
0003620917.tif 000009
【図９】
0003620917.tif 000010